(57)【要約】【課題】打ち抜き加工で簡単に製造でき、その構造が簡単で、且つ製造費が少なく、設置作業が容易なリードワイヤの結束口を提供する。【解決手段】複数のリードワイヤを一まとめに受容できる受容孔６１ａ、６２ａ、及び受容孔６１ａ、６２ａからその外側部まで延ばされるように形成されたスリット部６１ｂ、６２ｂか形成された少なくとも１つの結束片６１、６２を含む。【選択図】      図３
2004180485.tif 000002
【特許請求の範囲】
【請求項１】
複数のリードワイヤを散らばらないように結束させるための結束口であって、
前記複数のリードワイヤを一まとめに受容できる受容孔、及び前記受容孔からその外側部まで延ばされるように形成されたスリット部とが形成された少なくとも１つの結束片を含むことを特徴とするリードワイヤの結束口。
【請求項２】
前記結束片は、互いに折り畳められるように並んで連結されることを特徴とする請求項１に記載のリードワイヤの結束口。
【請求項３】
前記各結束片のスリット部は、前記結束片の間の連結部を中心に対称するように形成されることを特徴とする請求項２に記載のリードワイヤの結束口。
【請求項４】
前記各結束片のスリット部は、前記結束片の間の連結部を中心に互いに行き違うように形成されることを特徴とする請求項２に記載のリードワイヤの結束口。
【請求項５】
前記結束片は、ポリエステル材質から成っていることを特徴とする請求項１に記載のリードワイヤの結束口。
【発明の詳細な説明】
【０００１】
【発明の属する技術分野】
本発明は、圧縮機のクラスタ組立体に関し、より詳しくは、構造が単純で且つ製造費用が少ないクラスタ組立体のリードワイヤの結束口に関する。
【０００２】
【従来の技術】
図１は、従来のクラスタ組立体が設けられた状態の圧縮機を示す一部断面図であり、同図に示したように、一般的な圧縮機は、上部及び下部ケース１１、１２が結合されて成っている密閉ケース１０内に電動機構部２０と圧縮機構部（図示せず）が設けられる構成を有する。
【０００３】
電動機構部２０は、外部から印加される電源によって駆動し、圧縮機構部を作動させるものであり、下部ケース１２に固定されたシリンダブロック２１と、シリンダブロック２１の上部に固定される固定子２２、及び固定子２２内に回転自在に設けられる回転子２３を含む。
【０００４】
また、下部ケース１２の一側には外部電源を電動機構部２０へ供給するための密閉ターミナル３０が設けられ、密閉ターミナル３０には外部電源に連結されるターミナルピン３１が備えられる。密閉ターミナル３１にはクラスタ組立体４０が連結され、外部電源を電動機構部２０へ伝達する。
【０００５】
クラスタ組立体４０は、図２に示すように、ターミナルピン３１が挿入されるピン孔４５ａ、４６ａ、４７ａが形成された四角ボックス状のクラスタハウジング４１に、電動機構部２０に連結された３つのリードワイヤ４２ａ、４３ｂ、４４ｃが結合する構成を有する。
【０００６】
クラスタハウジング４１には、ターミナル端子４２ｂ、４３ｂ、４４ｂがそれぞれ受容される３つのチャネル４５、４６、４７が形成される。また、各チャネル４５、４６、４７にはターミナルピン３１が挿入され得るピン孔４５ａ、４６ａ、４７ａが形成される。電動機構部２０に連結されたリードワイヤ４２ａ、４３ａ、４４ａは、各チャネル４５、４６、４７に１つずつ挿入され、ターミナル端子４２ｂ、４３ｂ、４４ｂに固定される。
【０００７】
各リードワイヤ４２ａ、４３ａ、４４ａには、絶縁のための絶縁チューブ４２ｃ、４３ｃ、４４ｃが設けられる。また、３つのワイヤ４２ａ、４３ａ、４４ａが散らばっていると、密閉ケース１０内の他の部品に接触して短絡する危険性があるので、各リードワイヤ４２ａ、４３ａ、４４ａは、リードワイヤの結束口としての結束チューブ５０によって結束される。
【０００８】
しかし、上記のような従来の結束チューブ５０は、織造物で、切開された両端部に熱を加えて端部を処理しなければならず、剛性がない為ワイヤ４２ａ、４３ａ、４４ａを挿入するのが難しい。よって、製造費用が上昇し、且つ設置作業が難しいという短所がある。
【０００９】
【発明が解決しようとする課題】
本発明は、上記問題点に鑑みてなされたものであり、本発明の目的は、打ち抜き加工で簡単に製造でき、且つ構造が単純で、製造費用が少なく、設置作業が容易なリードワイヤ結束口を提供することである。
【００１０】
【課題を解決するための手段】
上記目的を果たすための本発明によるリードワイヤの結束口は、複数のリードワイヤを散らばらないように結束させるための結束口であって、前記複数のリードワイヤを一まとめに受容できる受容孔、及び前記受容孔からその外側部まで延ばされるように形成されたスリット部とが形成された少なくとも１つの結束片を含むことを特徴とする。
【００１１】
上記構成を有する本発明において、前記結束片は、互いに折り畳められるように並んで連結されることが望ましい。
【００１２】
更に、前記各結束片のスリット部は、前記結束片の間の連結部を中心に対称に形成され得るし、前記結束片の間の連結部を中心に互いに行き違うように形成され得る。また、前記結束片は、ポリエステル材質から成っていることが望ましい。
【００１３】
【発明の実施の形態】
以下に添付図面を参照しながら、本発明にかかるリードワイヤの結束口の好適な実施の形態について詳細に説明する。なお、本明細書及び図において、実質的に同一の機能構成を有する構成要素については、同一の符号を付することにより重複説明を省略する。
【００１４】
図３に示すように、本発明によるリードワイヤの結束口６０は、第１、第２受容孔６１ａ、６２ａ、及び第１、第２スリット部６１ｂ、６２ｂをそれぞれ備える第１及び第２結束片６１、６２が並んで連結された構成になっている。
【００１５】
第１及び第２結束片６１、６２は、絶縁性を有し、変形によって破損しにくいポリエステル材質の薄板状でなっており、プレス打ち抜きによって製造される。第１結束片６１と第２結束片６２とが連結された部位には折り畳み部６３が備えられ、各結束片６１、６２は互いに折り畳まれ得る。折り畳み部６３は、その厚さが第１及び第２結束片６１、６２の厚さより薄くて、各結束片６１、６２が互いに容易に折り畳まれ得る。
【００１６】
第１及び第２受容孔６１ａ、６２ａは、複数のリードワイヤ４２ａ、４３ａ、４４ａを受容できる適切なサイズで結束片６１、６２の略中央に形成され、第１及び第２スリット部６１ｂ、６２ｂは、それぞれ第１及び第２受容孔６１ａ、６２ａから各結束片６１、６２の外部までに延ばされるように夫々の結束片６１、６２の一側に形成される。かかる構成により、リードワイヤ４２ａ、４３ａ、４４ａは、スリット部６１ｂ、６２ｂを通して各受容孔６１ａ、６２ａに受容され得る。
【００１７】
以下、図５Ａ及び図５Ｂに基づき、本発明によるリードワイヤの結束口６０を用いてクラスタ組立体４０のリードワイヤ４２ａ、４３ａ、４４ａを結束する過程について説明する。
【００１８】
まず、図４Ａに示すように、絶縁チューブ４２ｃ、４３ｃ、４４ｃに取り巻かれてクラスタハウジング４１に連結している３つのリードワイヤ４２ａ、４３ａ、４４ａを互いに重なるように取り集めた後、第１結束片６１のスリット部６１ｂを開き、取り集められたリードワイヤ４２ａ、４３ａ、４４ａが第１スリット部６１ｂを通して第１受容孔６１ａに挿入されるようにする。また、図４Ｂに示すように、３つのリードワイヤ４２ａ、４３ａ、４４ａが第１受容孔６１ａに挿入された状態で、第２結束片６２を第１結束片６１に対して若干曲げた後、第２スリット部６２ｂを開き、取り集められたリードワイヤ４２ａ、４３ａ、４４ａが第２スリット部６２ｂを通して第２受容孔６２ａに挿入されるようにする。このとき、リードワイヤ４２ａ、４３ａ、４４ａは、互いに対して曲げられた状態から本来の真っ直ぐの状態に戻ろうとする第１及び第２の２つの結束片６１、６２によって持続的に外力を受けて互いに集まろうとする傾向があり、２つの結束片６１、６２それぞれのスリット部６１ｂ、６２ｂは、外力が加えられない限り閉った状態であるので、３つのリードワイヤ４２ａ、４３ａ、４４ａは、第１及び第２受容孔６１ａ、６２ａ内に挿入された状態で結束が保持される。
【００１９】
一方、図５Ａ乃至図５Ｃには、本発明の他の実施例による結束口７０、８０、９０が示されている。
【００２０】
図５Ａに示した他の実施の形態によるリード結束口７０は、受容孔７１ａ及びスリット部７１ｂを有する１つの結束片７１から構成され得る。このように、１つの結束片７１で構成されたリードワイヤの結束口７０は、リードワイヤ４２ａ（図４Ｂ参照）、４３ａ（図４Ｂ参照）、４４ａ（図４Ｂ参照）の長さが短い場合、リードワイヤ４２ａ、４３ａ、４４ａを結束するのに容易に使用できる。
【００２１】
一方、リードワイヤ４２ａ、４３ａ、４４ａの長さが長い場合は、図５Ｂに示すように、それぞれ受容孔８１ａ、８２ａ、８３ａ、及びスリット部８１ｂ、８２ｂ、８３ｂを有する３つの結束片８１、８２、８３が並んで連結されたリードワイヤの結束口８０を使用し、リードワイヤ４２ａ、４３ａ、４４ａが散らばらないように結束できる。ここで、リードワイヤの結束口８０では、各結束片８１、８２、８３に形成された受容孔８１ａ、８２ａ、８３ａの位置は結束片８１、８２、８３の略中央部で全て同様であるが、リードワイヤ４２ａ、４３ａ、４４ａを受容孔８１ａ、８２ａ、８３ａに挿入させるためのスリット部８１ｂ、８２ｂ、８３ｂの位置は、各結束片８１、８２、８３の連結部位である折り畳み部８４、８５を中心に互いに行き違うように形成される。また、図５Ｃに示すように、本発明の他の実施の形態によるリードワイヤの結束口９０は、それぞれ受容孔９１ａ、９２ａ、９３ａ、及びスリット部９１ｂ、９２ｂ、９３ｂが形成された３つの結束片９１、９２、９３が並んで連結された構成であり、図５Ｂに示すように、リードワイヤの結束口８０とその構成は類似するが、各結束片９１、９２、９３のスリット部９１ｂ、９２ｂ、９３ｂの形成位置が異なる。即ち、各結束片９１、９２、９３に形成されたスリット部９１ｂ、９２ｂ、９３ｂは、結束片９１、９２、９３の連結部位である折り畳み部９４、９５を中心に互いに対称に形成される。
【００２２】
一方、本発明によるリードワイヤの結束口は、基本的に受容孔６１ａ及びスリット部６１ｂが形成された結束片６１を備えたものであり、結束片６１の個数は、図示したものに限定されず、４つ以上が並んで連結された構成を有することもできる。
【００２３】
また、上記では、本発明によるリードワイヤの結束口６０を圧縮機クラスタ組立体４０のリードワイヤ４２ａ、４３ａ、４４ａを結束するためのものとして説明したが、本発明はそれに限定されるのではなく、複数のリードワイヤが備えられる多様な機器に適用され得る。
【００２４】
以上、添付図面を参照しながら本発明のリードワイヤ結束口の好適な実施形態について説明したが、本発明はかかる例に限定されない。当業者であれば、特許請求の範囲に記載された技術的思想の範疇内において各種の変形例又は修正例に想到し得ることは明らかであり、それらについても当然に本発明の技術的思想に属するものと了解される。
【００２５】
【発明の効果】
以上で説明したように、本発明によると、リードワイヤを受容できる受容孔及びリードワイヤを上記受容孔へ挿入するためのスリット部を備える単純な構造を有する薄いプレート状の結束片を利用し、複数のリードワイヤを散らばらないように結束できるので、製造費が少なく、且つリードワイヤの結束作業が容易なリードワイヤ結束口を具現できる効果がある。
【図面の簡単な説明】
【図１】従来のクラスタ組立体が設けられた状態の圧縮機を示す一部断面図である。
【図２】従来のリードワイヤの結束口が備えられたクラスタ組立体の構成を示す平面図である。
【図３】本発明の望ましい実施の形態によるリードワイヤの結束口を示す平面図である。
【図４Ａ】本発明によるリードワイヤの結束口を用いてリードワイヤを結束する過程を示す斜視図である。
【図４Ｂ】本発明によるリードワイヤの結束口を用いてリードワイヤを結束する過程を示す斜視図である。
【図５Ａ】本発明によるリードワイヤの結束口の他の実施の形態を示す平面図である。
【図５Ｂ】本発明によるリードワイヤの結束口の更なる他の実施の形態を示す平面図である。
【図５Ｃ】本発明によるリードワイヤの結束口の更なる他の実施の形態を示す平面図である。
【符号の説明】
６０  リードワイヤの結束口
６１、６２  結束片
６１ａ、６２ａ  受容孔
６１ｂ、６２ｂ  スリット部
６３  折り畳み部
【図１】
2004180485.tif 000003
【図２】
2004180485.tif 000004
【図３】
2004180485.tif 000005
【図４Ａ】
2004180485.tif 000006
【図４Ｂ】
2004180485.tif 000007
【図５Ａ】
2004180485.tif 000008
【図５Ｂ】
2004180485.tif 000009
【図５Ｃ】
2004180485.tif 000010